(57)【要約】      （修正有）【課題】ローラ装置自体の移動走行を、その左右側のいずれからでも操作できて使い勝手を良好にし、移動走行時に逆転させることなく安全、容易に運搬物等を移動走行する重量部運搬用ローラ装置を提供する。【解決手段】運搬物Ｐを載置可能としたフレームベース１に駆動ローラ１２、従動ローラ１４を配して成る。駆動ローラ１２を固着した駆動シャフトのフレームベース１から外出した端部は、駆動シャフトを回転させるラチェットレンチＬを噛み合わせる回転操作部１５を備え、駆動シャフトを一方向にのみ回転させる逆止機構２０を駆動シャフトに設ける。逆止機構２０は、駆動シャフトに固着したラチェット歯車２１と、ラチェット歯車２１に噛み合い、ラチェット歯車２１の一方向への回転時にはスライドするも、逆方向への回転時には係止するラチェット２２と、フレームベース１に設けて、ラチェット２２を揺動自在に支承しているラチェット軸とから構成する。【選択図】図１
0003180121.tif 000002
【実用新案登録請求の範囲】
【請求項１】
移動、走行させる運搬物を載置可能なフレームベースに、このフレームベースに支承した駆動シャフトに固着することで駆動ローラを、同じくフレームベースに支承した従動シャフトに設けることで従動ローラを配して成り、駆動シャフトにおけるフレームベースから外出した端部は、この駆動シャフトを回転させるラチェットレンチを噛み合わせる回転操作部を備えていると共に、駆動シャフトを一方向にのみ回転させる逆止機構を駆動シャフトに設けたことを特徴とする重量物運搬用ローラ装置。
【請求項２】
逆止機構は、駆動シャフトに固着されたラチェット歯車と、このラチェット歯車外周の歯に噛み合い、ラチェット歯車の一方向への回転時には歯面上でスライドするも、逆方向への回転時には歯面に係止するラチェットと、フレームベースに設けられて、ラチェットを揺動自在に支承しているラチェット軸とから成る請求項１に記載の重量物運搬用ローラ装置。
【請求項３】
ラチェットは、ラチェット歯車の歯に噛み合うように、隣接する歯相互間の谷部に噛み合う係止部を下面に有すると共に、この係止部前方にラチェット自体をラチェット歯車側への噛み合い傾向に付勢させる重錘部を備えて成る請求項１または２に記載の重量物運搬用ローラ装置。
【請求項４】
駆動シャフトは、フレームベースの左右部分それぞれで、左右に分割されて同一軸線状に配置されていて、分割された駆動シャフトの端部それぞれに回転操作部、逆止機構を設けてある請求項１乃至３のいずれかに記載の重量物運搬用ローラ装置。
【請求項５】
駆動シャフトは、フレームベースの左右に１本状で一体形成されていて、この駆動シャフトの少なくともいずれか一方の端部に回転操作部、逆止機構を設けてある請求項１乃至３のいずれかに記載の重量物運搬用ローラ装置。
【考案の詳細な説明】
【技術分野】
【０００１】
この考案は、各種工場、工事作業場その他で大型の重量物、例えば工作機械、変圧器、空調機器等の据え付け、撤去等のためにこれらを移動、運搬するとき、これらを安全、確実、かつ容易に移動できるようにした重量物運搬用ローラ装置に関する。
【背景技術】
【０００２】
従来から、この種の例えば大型で重量的に嵩張る各種の工作機械、変圧器、空調機器等を所定場所に据え付けたり、あるいは撤去したりするとき、これらを移動、運搬する必要がある。移動、運搬に際しては、これらの運搬物を載置可能で、転動自在になっているコロ（車輪）を底面に備えた例えばローラ装置を使用しており、その一例として特許文献１に示される重量物運搬用ローラ装置が提案されている。この特許文献１のローラ装置は、台部下面に支持された走行ローラの支持軸端部に、市販のラチェットレンチが噛み合わせられる角形部を設け、支持軸に設けたスパーギアには選択的に正逆転可能にして噛み合うようにした逆止爪を揺動可能にして配置すると共に、この逆止爪の正逆転可能位置を選択して仮止めするようスプリングによって逆止爪を弾発的に押圧係止させるストッパボールを設けたものである。
【先行技術文献】
【特許文献】
【０００３】
【特許文献１】実公平６−４３０４５号公報
【考案の概要】
【考案が解決しようとする課題】
【０００４】
このローラ装置によると、角形部に噛み合わせたラチェットレンチの揺動操作で支持軸を介してローラ装置自体を逆止状態で一方向のみに移動走行でき、例えば上り坂でも下降させることなく運搬物を持ち上げることができるとする。ところが、このローラ装置では、その角形部がローラ装置自体の一方の側部にしか設けられていないために、ローラ装置の反対側からでは操作できず、不便であるばかりでなく、逆止爪を揺動位置決めさせるスプリング、ストッパボールによる弾発力の調整設定が面倒でもあった。
【０００５】
そこでこの考案は上述したような従来存した諸事情に鑑み案出されたもので、その目的はローラ装置自体の移動走行を、その左右側のいずれからでも操作でき、使い勝手が良好になるばかりでなく、移動走行時の逆転もなく安全かつ容易に運搬物等を移動、運搬できるようにした重量物運搬用ローラ装置を提供することにある。
【課題を解決するための手段】
【０００６】
上述した課題を解決するため、この考案にあっては、後述する考案を実施するための形態における使用符号を付記して説明すると、移動、走行させる運搬物Ｐを載置可能なフレームベース１に、このフレームベース１に支承した駆動シャフト１１に固着することで駆動ローラ１２を、同じくフレームベース１に支承した従動シャフト１３に設けることで従動ローラ１４を配して成り、駆動シャフト１１におけるフレームベース１から外出した端部は、この駆動シャフト１１を回転させるラチェットレンチＬを噛み合わせる回転操作部１５を備えていると共に、駆動シャフト１１を一方向にのみ回転させる逆止機構２０を駆動シャフト１１に設けたことを特徴とする。
逆止機構２０は、駆動シャフト１１に固着されたラチェット歯車２１と、このラチェット歯車２１外周の歯に噛み合い、ラチェット歯車２１の一方向への回転時には歯面上でスライドするも、逆方向への回転時には歯面に係止するラチェット２２と、フレームベース１に設けられて、ラチェット２２を揺動自在に支承しているラチェット軸２５とから構成することができる。
ラチェット２２は、ラチェット歯車２１の歯に噛み合うように、隣接する歯相互間の谷部に噛み合う係止部２３を下面に有すると共に、この係止部２３前方にラチェット２２自体をラチェット歯車２１側への噛み合い傾向に付勢させる重錘部２４を備えて構成することができる。
駆動シャフト１１は、フレームベース１の左右部分それぞれで、左右に分割されて同一軸線状に配置されていて、分割された駆動シャフト１１の端部それぞれに回転操作部１５、逆止機構２０を設けて構成することができる。
駆動シャフト１１は、フレームベース１の左右に１本状で一体形成されていて、この駆動シャフト１１の少なくともいずれか一方の端部に回転操作部１５、逆止機構２０を設けて構成することができる。
【０００７】
以上のように構成されたこの考案に係る重量物運搬用ローラ装置にあって、駆動シャフト１１の回転操作部１５に噛み合わせたラチェットレンチＬを揺動操作することで、逆止機構２０によって逆転が阻止されている駆動シャフト１１を一方向にのみ回転させることによってフレームベース１に載置した各種の運搬物Ｐを移動、運搬させる。
回転操作部１５は駆動シャフト１１における端部がフレームベース１から外出していることで、フレームベース１の移動、走行をフレームベース１の外部から操作させ、逆止機構２０のラチェット２２の揺動操作によるラチェット歯車２１に対する噛み合いあるいはこれからの解放を選択して、駆動シャフト１１、駆動ローラ１２の一方向への回転あるいはフリー回転を制御させる。
ラチェット歯車２１に対してラチェット２２を噛み合い傾向に付勢させている重錘部２４は、ラチェット歯車２１との噛み合いを確実にさせ、また、この重錘部２４によってラチェット２２のラチェット歯車２１からの解除等の揺動操作を容易にさせる。
フレームベース１の左右部それぞれで分割配置された駆動シャフト１１それぞれでは、それらの端部における回転操作部１５、逆止機構２０を介して、フレームベース１の左右側のいずれからでもローラ装置自体の移動、走行を操作させる。また１本状の駆動シャフト１１のいずれか一方の端部における回転操作部１５、逆止機構２０による回転作動は、駆動ローラ１２全体を回転させ、移動、走行を確実にさせる。
【考案の効果】
【０００８】
この考案は以上説明したように構成されているため、ローラ装置自体の移動走行を、フレームベース１の左右側部の外部に配されている回転操作部１５、逆止機構２０によっての左右側のいずれからでも操作でき、運搬すべき運搬物Ｐの載置状況によって操作側を選択できることで使い勝手が良好になる。また、逆止機構２０におけるラチェット２２によるラチェット歯車２１への噛み合いは確実であるから、その逆転を阻止し、一方向に向かう移動走行時の逆転もないことで安全、確実かつ容易に運搬物等を移動、運搬できる。
【０００９】
すなわちこれはこの考案において、運搬物Ｐを載置可能としたフレームベース１に駆動ローラ１２、従動ローラ１４を配して成り、駆動ローラ１２を固着した駆動シャフト１１におけるフレームベース１から外出した端部は、この駆動シャフト１１を回転させるラチェットレンチＬを噛み合わせる回転操作部１５を備えていると共に、駆動シャフト１１を一方向にのみ回転させる逆止機構２０を駆動シャフト１１に設けたからである。これによって、フレームベース１の左右側のいずれからでも可能となる操作、フレームベース１の逆転を阻止しての一方向のみへの移動走行、逆止機構２０におけるラチェット２２のラチェット歯車２１に対する噛み合い、解除による逆転阻止あるいフリー回転の選択を可能にしている。
【００１０】
また、逆止機構２０におけるラチェット２２のラチェット歯車２１に対する噛み合いあるいは解除は、ラチェット２２自体の揺動操作によって選択でき、フレームベース１の移動走行を一方向のみに、あるいはいずれの方向へもフリーなものとすることができる。
【００１１】
逆止機構２０のラチェット２２には、ラチェット２２自体をラチェット歯車２１側への噛み合い傾向に付勢させる重錘部２４を係止部２３の前方に備えているから、ラチェット歯車２１への噛み合いを確実にし、逆に解除すべく揺動させたときにもその位置を維持することができる。
【００１２】
フレームベース１の左右部で分割された構成の駆動シャフト１１それぞれの端部における回転操作部１５、逆止機構２０によって、フレームベース１の左右のいずれからでも駆動ローラ１２を回転駆動して、フレームベース１を移動、走行させることができる。１本状の駆動シャフト１１における少なくともいずれかの端部に設けてある回転操作部１５、逆止機構２０によって、駆動シャフト１１に固着してある駆動ローラ１２の全体を回転駆動でき、安定した移動、走行を実現することができる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す使用状態の一例における斜視図である。
【図２】同じく一部切欠の平面図である。
【図３】同じく一部切欠の側面図である。
【図４】同じく大型で重量がある運搬物を移動・運搬するときに、複数で使用する場合の概略斜視図である。
【考案を実施するための形態】
【００１５】
以下、図面を参照してこの考案を実施するための一形態を説明すると、図において示される符号１は走行ローラ（１２，１４）によって設置・据付面等の移動走行面上で移動可能にしてあるフレームベースである。このフレームベース１は、所定肉厚の上面部、左右側部、前後側部を備え、底面部である下方が開放されている、いわば俯せの浅底蓋状を呈するように一体状に形成されており、フレームベース１内部には、前後方向に沿ってほぼ中央位置で補強フレーム２を備えている。そして、このフレームベース１における上面部のほぼ中心位置に、表面に滑り止め処理がなされている天板３が旋回自在にして設けられており、移動、運搬すべき各種機器等の運搬物Ｐを載置、支持できるようにしてある。また、フレームベース１の前後側部の外側面には、前後方向に延びている牽引用の連繋アーム４が連設されていて、この連繋アーム４は連結シャフト（図示を省略）等を挿通させる挿通孔５を開穿して成る。
【００１６】
フレームベース１を移動走行させる前記走行ローラ（１２，１４）は、フレームベース１における左右側部相互間の前後位置それぞれで架け渡し状に支承した駆動シャフト１１に固着されている左右の駆動ローラ１２、また従動シャフト１３に回転自在に嵌め合わせられている左右の従動ローラ１４として、計４個のものとして構成してある。
【００１７】
図示にあって、駆動シャフト１１はフレームベース１自体の左側部あるいは右側部と、前記補強フレーム２との間でベアリングを介して支承されることによってフレームベース１自体の左右部それぞれで左右に分割されて同一軸線状に配置されているも、図示を省略したが左右の分割構成とせずに１本状の一体形成したものとしてフレームベース１に配置することもできる。そして、この駆動シャフト１１は、フレームベース１の左右側部からの駆動シャフト１１の外出部分端部に、一般的に市販されているラチェットレンチＬのソケット部が噛み合わせられる例えば断面六角形状にした回転操作部１５を備えている。この回転操作部１５に噛み合わせたラチェットレンチＬのハンドルによる揺動操作で駆動シャフト１１、駆動ローラ１２が回転されるようになっている。
【００１８】
また、この駆動シャフト１１には、駆動シャフト１１を一方向にのみ回転させる逆止機構２０が設けられている。この逆止機構２０は、駆動シャフト１１に固着されたラチェット歯車２１と、このラチェット歯車２１外周の歯に噛み合い、ラチェット歯車２１の一方向への回転時には歯面上でスライドするも、逆方向への回転時には歯面に係止するラチェット２２と、フレームベース１に設けられて、ラチェット２２を揺動自在に支承しているラチェット軸２５とから成る。尚、この逆止機構２０は、分割されている駆動シャフト１１におけるフレームベース１の左右側部それぞれの外出部分に対称的に設けられているも、駆動シャフト１１が１本状で構成される場合にはいずれか一方のみに設けられることもある。
【００１９】
ラチェット歯車２１は、図示例にあっては駆動シャフト１１におけるフレームベース１からの外出部分に設けられている回転操作部１５のフレームベース１側である内側に位置させて設けられている。ラチェット２２は、このラチェット歯車２１の歯に噛み合うように、隣接する歯相互間の谷部に例えばラチェット２２自体の自重によってしっくりと噛み合う係止部２３を下面に有すると共に、この係止部２３前方にラチェット２２自体をその自重によってラチェット歯車２１側への噛み合い傾向に付勢させる重錘部２４を備えて成る。
【００２０】
また、図示にあってのラチェット軸２５は、駆動シャフト１１、従動シャフト１３それぞれの軸支位置相互間のほぼ中央下部位置でフレームベース１の左右側部相互間に支承されており、フレームベース１からの左右外出部分それぞれにラチェット２２が固着されていて、駆動シャフト１１側に揺動されたときにはラチェット歯車２１に噛み合うことで駆動シャフト１１、駆動ローラ１２を一方向にのみ回転させ、逆に従動シャフト１３側に揺動されたときにはラチェット歯車２１から解放されて駆動シャフト１１、駆動ローラ１２をフリーに回転させることができるようにしている（図２参照）。
【００２１】
図中符号２６は逆止機構２０の側方を覆うよう平面でほぼコ字状を呈して、フレームベース１の左右側部外側面に固定されているカバーである。このカバー２６の側部は、従動シャフト１３側から駆動シャフト１１側に至るに伴い次第に高く形成されていて、ラチェット２２の重錘部２４が側方から見てカバー２６上方に突出されているようにしてあって、この重錘部２４によってラチェット２２自体の揺動操作ができるようにしてある。
【００２２】
次にこれの使用の一例を説明すると、移動、運搬させるべき所定の運搬物Ｐ、例えば工作機器、空調機器その他を天板３上に載置する一方、逆止機構２０におけるラチェット２２を、移動方向への駆動シャフト１１の回転を許容させた状態でラチェット歯車２１に噛み合わせておく。次いで、駆動シャフト１１の回転操作部１５に所定のラチェットレンチＬのソケット部を噛み合わせ、ラチェットレンチＬ自体を前後に揺動させることで駆動シャフト１１、駆動ローラ１２を回転させればよい（図１参照）。このとき、逆止機構２０では、駆動シャフト１１における許容させた回転方向とは逆方向に駆動シャフト１１、駆動ローラ１２が回転しようとしても、ラチェット２２がラチェット歯車２１に噛み合うことで、その逆回転を阻止させており、例えば上り坂面で移動、走行させても下り落ちることがない。
【００２３】
尚、逆止機構２０において、ラチェット歯車２１と噛み合うラチェット２２を解放させることで、駆動シャフト１１、駆動ローラ１２をいずれの方向へもフリーに回転させることができる。また、運搬物Ｐの大きさに合わせて、この考案ローラ装置を運搬物Ｐの底面の前後あるいは四隅、更には多数点箇所に配置することで使用することもでき（図４参照）、更には必要があればラチェットレンチＬに所定長さのパイプ等を連結してラチェットレンチの揺動作業を円滑にできるようにする。
【００２４】
この考案ローラ装置の使用に際し、逆止機構２０による逆止作用で、一方向にしか移動、走行しないとしても、駆動シャフト１１の端部それぞれに回転操作部１５、逆止機構２０を備えていることで、フレームベース１における前後の向きを変更選択することで、所定の方向に向けて移動、走行できる。
【符号の説明】
【００２５】
Ｌ…ラチェットレンチ                    Ｐ…運搬物
１…フレームベース                      ２…補強フレーム
３…天板                                ４…連繋アーム
５…挿通孔
１１…駆動シャフト                      １２…駆動ローラ
１３…従動シャフト                      １４…従動ローラ
１５…回転操作部
２０…逆止機構                          ２１…ラチェット歯車
２２…ラチェット                        ２３…係止部
２４…重錘部                            ２５…ラチェット軸
２６…カバー
【図１】
0003180121.tif 000003
【図２】
0003180121.tif 000004
【図３】
0003180121.tif 000005
【図４】
0003180121.tif 000006